(57)【要約】【課題】  音声情報をエンコードしたエンコードデータを無線スロットに乗せ換える際の遅延を最小にする同報系無線通信システム、親局無線通信装置、子局無線通信装置、および無線通信方法を提供することを目的とする。【解決手段】  無線で情報を同報送信する親局無線通信装置１と、親局無線通信装置１から無線で情報を受信してその情報を報知する複数の子局無線通信装置２とを有する同報系無線通信システムであって、親局無線通信装置１および子局無線通信装置２に音声情報が入力されると、音声情報をエンコードして一定間隔毎にエンコードデータを生成された複数のエンコードデータを無線スロットに乗せ換える際の遅延が最小になる乗せ換え条件を記憶する設定テーブル１５と、無線スロットが現在どの無線スロット番号であるかをカウントするスロット番号カウンタ１４とを備え、最小乗せ換え遅延でエンコードデータを無線スロットへ乗せ換えする。【選択図】  図２
2010103678.tif 000002
【特許請求の範囲】
【請求項１】
無線で情報を同報送信する親局無線通信装置と、前記親局無線通信装置から無線で情報を受信してその情報を報知する複数の子局無線通信装置とを有する同報系無線通信システムであって、
前記親局無線通信装置および前記子局無線通信装置には、
入力された音声情報をエンコードし、前記音声情報をエンコードしたエンコードデータを一定間隔毎に生成するボコーダと、
前記ボコーダによって生成された複数の前記エンコードデータを乗せる無線スロットを指定する無線制御手段と、
前記エンコードデータを乗せる無線スロットに乗せ換える際の遅延が最小になる乗せ換え条件を記憶する設定テーブルと、
前記無線スロットが現在どの無線スロット番号であるかをカウントするスロット番号カウンタと、
前記設定テーブルを参照して遅延が最小になる乗せ換え条件を取得し、前記スロット番号カウンタを参照して前記乗せ換え条件に合致したエンコードデータを、前記無線制御手段によって指定された無線スロットへ乗せるエンコードデータ乗せ換え手段とを備えることを特徴とする同報系無線通信システム。
【請求項２】
前記設定テーブルには、前記無線制御手段によって指定された無線スロット毎に、何番目のエンコードデータから前記無線スロットに乗せるかを記憶していることを特徴とする請求項１に記載の同報系無線通信システム。
【請求項３】
前記設定テーブルには、前記無線制御手段によって指定された無線スロット毎に、最初のエンコードデータを何個破棄するかを記憶していることを特徴とする請求項１に記載の同報系無線通信システム。
【請求項４】
親局無線通信装置に接続され、複数の電話装置の電話交換を行う電話交換装置と、
前記電話交換装置に接続される複数の親局電話装置と、
前記子局無線装置に接続される子局電話装置と
をさらに有することを特徴とする請求項１乃至請求項３に記載の同報系無線通信システム。
【請求項５】
無線で情報を同報送信する親局無線通信装置と、前記親局無線通信装置から無線で情報を受信してその情報を報知する複数の子局無線通信装置とを有する同報系無線通信システムに使用される親局無線通信装置であって、
入力された音声情報をエンコードし、前記音声情報をエンコードしたエンコードデータを一定間隔毎に生成するボコーダと、
前記ボコーダによって生成された複数の前記エンコードデータを乗せる無線スロットを指定する無線制御手段と、
前記エンコードデータを乗せる無線スロットに乗せ換える際の遅延が最小になる乗せ換え条件を記憶する設定テーブルと、
前記無線スロットが現在どの無線スロット番号であるかをカウントするスロット番号カウンタと、
前記設定テーブルを参照して遅延が最小になる乗せ換え条件を取得し、前記スロット番号カウンタを参照して前記乗せ換え条件に合致したエンコードデータを、前記無線制御手段によって指定された無線スロットへ乗せるエンコードデータ乗せ換え手段とを備えることを特徴とする親局無線通信装置。
【請求項６】
前記設定テーブルには、前記無線制御手段によって指定された無線スロット毎に、何番目のエンコードデータから前記無線スロットに乗せるかを記憶していることを特徴とする請求項５に記載の親局無線通信装置。
【請求項７】
前記設定テーブルには、前記無線制御手段によって指定された無線スロット毎に、最初のエンコードデータを何個破棄するかを記憶していることを特徴とする請求項５に記載の親局無線通信装置。
【請求項８】
無線で情報を同報送信する親局無線通信装置と、前記親局無線通信装置から無線で情報を受信してその情報を報知する複数の子局無線通信装置とを有する同報系無線通信システムに使用される子局無線通信装置であって、
入力された音声情報をエンコードし、前記音声情報をエンコードしたエンコードデータを一定間隔毎に生成するボコーダと、
前記ボコーダによって生成された複数の前記エンコードデータを乗せる無線スロットを指定する無線制御手段と、
前記エンコードデータを乗せる無線スロットに乗せ換える際の遅延が最小になる乗せ換え条件を記憶する設定テーブルと、
前記無線スロットが現在どの無線スロット番号であるかをカウントするスロット番号カウンタと、
前記設定テーブルを参照して遅延が最小になる乗せ換え条件を取得し、前記スロット番号カウンタを参照して前記乗せ換え条件に合致したエンコードデータを、前記無線制御手段によって指定された無線スロットへ乗せるエンコードデータ乗せ換え手段とを備えることを特徴とする子局無線通信装置。
【請求項９】
前記設定テーブルには、前記無線制御手段によって指定された無線スロット毎に、何番目のエンコードデータから前記無線スロットに乗せるかを記憶していることを特徴とする請求項８に記載の親局無線通信装置。
【請求項１０】
前記設定テーブルには、前記無線制御手段によって指定された無線スロット毎に、最初のエンコードデータを何個破棄するかを記憶していることを特徴とする請求項８に記載の子局無線通信装置。
【請求項１１】
無線で情報を同報送信する親局無線通信装置と、前記親局無線通信装置から無線で情報を受信してその情報を報知する複数の子局無線通信装置とを有する同報系無線通信システムの無線通信方法であって、
前記親局無線通信装置および前記子局無線通信装置は、
音声情報が入力されると、入力された音声情報をエンコードして一定間隔毎にエンコードデータを生成し、
生成された前記エンコードデータを乗せる無線スロットに乗せ換える際の遅延が最小になる前記エンコードデータの乗せ換え条件を記憶する設定テーブルを参照して乗せ換え条件を取得し、
前記無線スロットが現在どの無線スロット番号であるかをカウントするスロット番号カウンタを参照し、前記乗せ換え条件の前記エンコードデータを乗せ換える無線スロットへ乗せて送信することを特徴とする無線通信方法。
【発明の詳細な説明】
【技術分野】
【０００１】
本発明は、災害発生時に災害情報等を同報に報知する同報系無線通信システム、親局無線通信装置、子局無線通信装置、および無線通信方法に関する。
【背景技術】
【０００２】
市町村などの地方自治体では、大規模災害の発生時に災害情報等を住民へ周知するために防災無線を設置している。防災無線は、主に災害情報を送信する親局と市町村の各地に設置されている子局とで構成されている。親局は市町村役場などに、子局は公民館、学校または公園など公共の場所に設置されることが多い。
【０００３】
災害発生時に、親局から音声情報を送信すると、夫々の子局に設置されたスピーカから音声情報が出力され、その地域の住民へその情報を周知することができる。災害が発生していない場合には、市町村から住民へ周知したい情報の連絡に使用される。
【０００４】
同報系無線通信システムでは、一方的に市町村から住民への情報周知を行うが、災害発生時には、固定電話や携帯電話などのインフラサービスが停止している場合が多く、けが人の救護や物資の配給のために各地と連絡をとる必要がある。そのために、同報系無線通信システムには、親局と子局が１対１で通話を行う双方向通信もできるようになっている。
【０００５】
また、同報系無線通信システムは、親局へ音声情報を入力してから、子局に設置されたスピーカから音声が出力されるまでに遅延が生じていたとしても、子局に設置されたスピーカから出力される音声を聞いている住民にはその遅延がわからない。そのため、その遅延は考慮する必要がなかった。
【０００６】
しかしながら、この同報系無線通信システムで双方向通信を行うと、一方の利用者が話をした後に他方の利用者からの返事が遅くなるという遅延現象が生じ、親局の利用者と子局の利用者とがスムーズに会話できないという問題がある。
【０００７】
一般に、無線通信システムで生じる遅延には、主に３つの遅延ある。１つ目は、音声情報を送信する側の局で、音声情報をエンコードする際の遅延、２つ目は、エンコードしたデータを無線フレームの通話用無線スロットへ乗せ換えを行う際の遅延、３つ目は、音声情報を受信する側の局で、受信した音声情報をデコードする際の遅延である。これらのうち、同報系無線通信システムでは、従来の同報系無線通信システムで考慮されていなかった２つ目の遅延、すなわちエンコードしたデータを無線フレームの通話用無線スロットへ乗せ換えを行う際の遅延が顕著である。
【０００８】
図７は、従来の同報系無線通信システムにおいてエンコードしたデータを無線フレームの通話用無線スロットへ乗せ換えを行う様子を示したものである。  
エンコードデータが２０ｍｓ毎に生成され、無線スロットは６スロットで１フレームを構成し、１フレームは８０ｍｓである場合を例にして、無線フレームの通話用無線スロットへ乗せ換えを行う場合についての遅延について説明する。
【０００９】
エンコードデータを乗せる無線スロットは、図７中に太線で囲まれた３番スロットであるとする。エンコードデータは４つで無線フレーム１つに相当するため、この３番スロットに４つのエンコードデータを乗せる。最初の３番スロットには、エンコードデータ４つを乗せることはできないため、２回目の３番スロットにエンコードデータ４つを乗せる。このようにすると、図７中に示したように無線スロット３つ分の遅延が発生することになる。
【００１０】
また、図７に示した例では、３番スロットにエンコードデータを乗せる場合を示したが、例えば５番スロットにエンコードデータを乗せる場合は、無線スロット５つ分の遅延が発生することになる。
【００１１】
なお、このような遅延を一定の時間にする技術が知られている（例えば、特許文献１）。
【特許文献１】特開２００２−３５９６０４号公報
【発明の開示】
【発明が解決しようとする課題】
【００１２】
しかしながら、上記の特許文献１に記載の技術では、遅延を一定の時間にすることができても、遅延をより小さくすることはできないという問題がある。
【００１３】
本発明は、上記問題点を解決するためになされたもので、音声情報をエンコードしたエンコードデータを無線スロットに乗せ換える際の遅延を最小にする同報系無線通信システム、親局無線通信装置、子局無線通信装置、および無線通信方法を提供することを目的とする。
【課題を解決するための手段】
【００１４】
上記目的を達成するために、本発明による無線通信システムは、無線で情報を同報送信する親局無線通信装置と、前記親局無線通信装置から無線で情報を受信してその情報を報知する複数の子局無線通信装置とを有する同報系無線通信システムであって、前記親局無線通信装置および前記子局無線通信装置には、入力された音声情報をエンコードし、前記音声情報をエンコードしたエンコードデータを一定間隔毎に生成するボコーダと、前記ボコーダによって生成された複数の前記エンコードデータを乗せる無線スロットを指定する無線制御手段と、前記エンコードデータを乗せる無線スロットに乗せ換える際の遅延が最小になる乗せ換え条件を記憶する設定テーブルと、前記無線スロットが現在どの無線スロット番号であるかをカウントするスロット番号カウンタと、前記設定テーブルを参照して遅延が最小になる乗せ換え条件を取得し、前記スロット番号カウンタを参照して前記乗せ換え条件に合致したエンコードデータを、前記無線制御手段によって指定された無線スロットへ乗せるエンコードデータ乗せ換え手段とを備えることを特徴とすることを特徴とする。
【００１５】
また、上記目的を達成するために、本発明による親局無線通信装置は、無線で情報を同報送信する親局無線通信装置と、前記親局無線通信装置から無線で情報を受信してその情報を報知する複数の子局無線通信装置とを有する同報系無線通信システムに使用される親局無線通信装置であって、入力された音声情報をエンコードし、前記音声情報をエンコードしたエンコードデータを一定間隔毎に生成するボコーダと、前記ボコーダによって生成された複数の前記エンコードデータを乗せる無線スロットを指定する無線制御手段と、前記エンコードデータを乗せる無線スロットに乗せ換える際の遅延が最小になる乗せ換え条件を記憶する設定テーブルと、前記無線スロットが現在どの無線スロット番号であるかをカウントするスロット番号カウンタと、前記設定テーブルを参照して遅延が最小になる乗せ換え条件を取得し、前記スロット番号カウンタを参照して前記乗せ換え条件に合致したエンコードデータを、前記無線制御手段によって指定された無線スロットへ乗せるエンコードデータ乗せ換え手段とを備えることを特徴とする。
【００１６】
また、上記目的を達成するために、本発明による子局無線通信装置は、無線で情報を同報送信する親局無線通信装置と、前記親局無線通信装置から無線で情報を受信してその情報を報知する複数の子局無線通信装置とを有する同報系無線通信システムに使用される子局無線通信装置であって、入力された音声情報をエンコードし、前記音声情報をエンコードしたエンコードデータを一定間隔毎に生成するボコーダと、前記ボコーダによって生成された複数の前記エンコードデータを乗せる無線スロットを指定する無線制御手段と、前記エンコードデータを乗せる無線スロットに乗せ換える際の遅延が最小になる乗せ換え条件を記憶する設定テーブルと、前記無線スロットが現在どの無線スロット番号であるかをカウントするスロット番号カウンタと、前記設定テーブルを参照して遅延が最小になる乗せ換え条件を取得し、前記スロット番号カウンタを参照して前記乗せ換え条件に合致したエンコードデータを、前記無線制御手段によって指定された無線スロットへ乗せるエンコードデータ乗せ換え手段とを備えることを特徴とする。
【００１７】
また、上記目的を達成するために、本発明による無線通信方法は、無線で情報を同報送信する親局無線通信装置と、前記親局無線通信装置から無線で情報を受信してその情報を報知する複数の子局無線通信装置とを有する同報系無線通信システムの無線通信方法であって、前記親局無線通信装置および前記子局無線通信装置は、音声情報が入力されると、入力された音声情報をエンコードして一定間隔毎にエンコードデータを生成し、生成された前記エンコードデータを乗せる無線スロットに乗せ換える際の遅延が最小になる前記エンコードデータの乗せ換え条件を記憶する設定テーブルを参照して乗せ換え条件を取得し、前記無線スロットが現在どの無線スロット番号であるかをカウントするスロット番号カウンタを参照し、前記乗せ換え条件の前記エンコードデータを乗せ換える無線スロットへ乗せて送信することを特徴とする。
【発明の効果】
【００１８】
本発明によれば、音声情報をエンコードしたエンコードデータを無線スロットに乗せ換える際の遅延を最小にすることができる。
【発明を実施するための最良の形態】
【００１９】
以下、本発明の実施例を、図面を参照して説明する。
【実施例１】
【００２０】
図１は、本発明の一実施の形態を示す同報系無線通信システムのブロック図である。  
同報系無線通信システムには、親局無線通信装置１、複数の子局無線通信装置２ａ、２ｂ、…、２ｎ、電話交換装置３、電話装置Ｔ１、Ｔ２、Ｔ３、Ｔ４、Ｔ５、Ｔ６が備えられている。親局無線通信装置１は、複数の子局無線通信装置２（２ａ乃至２ｎ共通）と無線で接続されている。また、親局無線通信装置１には、構内交換機（ＰＢＸ：Ｐｒｉｖａｔｅ  Ｂｒａｎｃｈ  ｅＸｃｈａｎｇｅ）などの電話交換装置３が接続され、その電話交換装置３には、複数の電話装置Ｔ１、Ｔ２、Ｔ３が接続されている。そして、子局無線通信装置２には、それぞれ電話装置Ｔ４、Ｔ５、Ｔ６が接続されている。
【００２１】
複数の子局無線通信装置２ａ〜２ｎは、共通の構成の装置であり、ここでは３つのみ示しているが、多数存在するものである。また、親局無線通信装置１と子局無線通信装置２との間は、直接無線で接続される構成だけでなく、図示しない中継局無線通信装置によって無線を中継する構成にしてもよい。
【００２２】
図２は、同報系無線通信システムに備えられた親局無線通信装置１の構成を示したブロック図である。  
親局無線通信装置１には、ＣＰＵ１０、音声インターフェース１１、ボコーダ１２、バッファ１３、設定テーブル１５、無線制御部（無線制御手段）１６、無線インターフェース１７が備えられている。
【００２３】
音声インターフェース１１は、電話交換装置３から送られてくる音声情報を受信したり、子局無線通信装置２から送られてきた音声情報を、音声インターフェース１１に接続されたスピーカ１８から出力、または電話交換装置３へ送信したりするものである。ボコーダ１２は、音声インターフェース１１から受信した音声情報をＣＰＵ１０の指示に従ってエンコードしてそのエンコードしたエンコードデータをバッファ１３に送信したり、子局無線通信装置２から送られてきた音声情報を、バッファ１３から受信してデコードし、音声インターフェース１１へ送信したりするものである。
【００２４】
バッファ１３は、各部間を流れる音声情報を一時的に記憶しておくものであり、バッファ１３ａ、１３ｂ、１３ｃはバッファ１３の記憶アドレスが異なる。また、設定テーブルは、後に詳述するが、無線フレームの無線スロットにエンコードデータを乗せる際に、タイミングよく乗せ換えして遅延を最小にするための乗せ換えのタイミングの条件が記憶されているものである。
【００２５】
また、無線インターフェース１７は、アンテナを介して子局無線通信装置２から送られてくる音声情報を受信して無線制御部１６を介してバッファへ送信したり、無線制御部１６から送られてくる音声情報をアンテナを介して子局無線通信装置２へ送信したりするものである。この無線制御部１６は、双方向通信を行う際に、無線フレームのうちどの無線スロットにエンコードデータを乗せ、どの無線スロットで受信するか、使用する無線スロット番号を指定し、ＣＰＵへその無線スロット番号を通知するようになっている。さらに、無線制御部１６には、スロット番号カウンタ１４が備えられている。スロット番号カウンタ１４は、無線フレームの無線スロットが現在何番の無線スロットであるかの情報を示すものであり、エンコードデータを無線スロットへ乗せ換える際に、乗せ換えるタイミングを合致させるために参照されるようになっている。
【００２６】
親局無線通信装置１から子局無線通信装置２へ音声情報を送信する場合、すなわち親局無線通信装置１へ入力された音声情報を無線で送信するデータの流れを図２中の白抜き矢印で示す。  
電話交換装置３から音声情報を音声インターフェース１１が受信すると、ボコーダ１２へ音声情報が送られ、エンコードした音声情報であるエンコードデータはバッファ１３ａに記憶される。ＣＰＵ１０は、無線制御部１６からこのエンコードデータを乗せる無線スロットの情報を取得し、設定テーブル１５に記憶されているタイミングの条件とスロット番号カウンタ１４の現在の無線スロットの情報とを比較して、タイミングの条件になったらバッファ１３ｂへエンコードデータを一時記憶する。このバッファ２に一時記憶された音声情報は、無線制御部１６を介して無線インターフェース１７から子局無線通信装置２へ送信されるようになっている。
【００２７】
また、子局無線通信装置２から親局無線通信装置１へ音声情報を受信した場合のデータの流れを図２中の黒線矢印で示す。
【００２８】
無線インターフェース１７で子局無線通信装置２から受信した音声情報を無線制御部１６を介してバッファ１３ｃへ一時記憶し、ボコーダ１２へ音声情報を送信してデコードされた音声情報を音声インターフェース１１からスピーカ１８または電話交換装置３へ送信されるようになっている。
【００２９】
図３は、無線通信システムに備えられた子局無線通信装置２（２ａ乃至２ｎ共通）の構成を示したブロック図である。  
子局無線通信装置２に備えられているＣＰＵ２０、音声インターフェース２１、ボコーダ２２、バッファ２３、設定テーブル２５、無線制御部２６、無線インターフェース２７は、親局無線通信装置１のＣＰＵ１０、音声インターフェース１１、ボコーダ１２、バッファ１３、設定テーブル１５、無線制御部１６、無線インターフェース１７と接続関係および作用は同じであるため説明を省略する。また、無線制御部２６には、スロット番号カウンタ２４が備えられている。このスロット番号カウンタ２４は、スロット番号カウンタ１４と同様のものであるため、説明を省略する。
【００３０】
子局無線通信装置２に備えられた音声インターフェース２１には、スピーカ２８および電話装置Ｔが接続されている。また、子局無線通信装置２は、音声情報を電話装置Ｔから音声インターフェース２１で受信すると、親局無線通信装置１と同様の音声情報の処理を行い、子局無線通信装置１での無線フレームの無線スロットへのエンコードデータの乗せ換えも親局無線通信装置１と同様に行うため、説明を省略する。
【００３１】
図４は、親局無線通信装置１に備えられた設定テーブル１５、および子局無線通信装置２に備えられた設定テーブル２５の一例を示した図である。  
設定テーブル１５、２５は、デコードデータを無線フレームの無線スロットに最小の遅延で乗せるためのタイミングの条件が記憶されているものである。親局無線通信装置１と子局無線通信装置２には、同じ内容の設定テーブル１５、２５が記憶されている。
【００３２】
例えば、無線スロット番号が０のときは開始エンコードデータ番号が１と記憶されている。これは、エンコードデータを乗せる無線フレームの無線スロット番号が０番の場合には、その０番の無線スロットに乗せるエンコードデータは１つ目から４つ目までであることを示している。また、同様に、無線スロット番号が１のときは開始エンコードデータ番号が１であり、無線スロット番号が２、３、４、５のときはそれぞれ開始エンコードデータ番号が２、３、３、４であることが設定テーブル１５、２５に記憶されている。
【００３３】
このような、エンコードデータの適切な乗せ換えタイミングの条件を予め記憶する設定テーブル１５、２５をＣＰＵ１０、２０が参照することで、エンコードデータの適切な乗せ換えタイミングを把握することができ、無線スロットへのエンコードデータ乗せ換え時の遅延を最小にすることができる。
【００３４】
なお、この設定テーブル１５、２５に記憶される情報は、無線スロット番号に対応した開始エンコードデータ番号の代わりに、無線スロット番号に応じて、先頭のエンコードデータを何個破棄するかの個数を記憶するようにしてもよい。
【００３５】
図５は、本発明の一実施形態を示すボコーダ１２、２２が生成するエンコードデータと無線スロットとの関係およびエンコードデータを無線スロットに乗せ換えする際に最小にした遅延を示す図である。  
エンコードデータがボコーダによって２０ｍｓ毎に生成され、無線スロットは６スロットで１フレームを構成し、１フレームは８０ｍｓである場合を例にして、無線フレームの通話用無線スロットへ乗せ換えを行う場合について説明する。
【００３６】
エンコードデータを乗せる無線スロットは、図５中の無線スロットのうち太線で囲まれた３番スロットであるとする。この例ではエンコードデータは４つで無線フレーム１つに相当するため、この３番スロットに４つのエンコードデータを乗せるものであるとする。ここで、設定テーブル１５、２５を参照すると、３番スロットへエンコードデータを乗せる場合には、３つ目のエンコードデータから４つのエンコードデータを３番スロットへ乗せることが記憶されている。これは、図５に示すように、３番のスロットの直前までの４つのエンコードデータを３番の無線スロットに乗せることを意味している。３番の無線スロットには、３つ目から４つ分のエンコードデータを乗せるため、１つ目および２つ目のエンコードデータは無線スロットに乗せずに破棄する。
【００３７】
この破棄するエンコードデータは、親局無線通信装置１側に接続された電話装置Ｔと子局無線通信装置２に接続された電話装置Ｔとが呼接続を開始した最初の音声情報である。通常、電話装置Ｔ同士が呼接続された最初のエンコードデータは、実際に会話が開始される前の無音または雑音の情報のエンコードデータである場合が多い。エンコードデータを無線スロットへ乗せ換えする際にタイミングが合わない先頭のエンコードデータを破棄しても、通話に影響はほとんどない。そのため、通話への影響を抑えながらもエンコードデータの乗せ換えによる遅延を最小にすることができる。
【００３８】
また、呼接続されて最初にエンコードデータを乗せ換えする時に生じる遅延によって、その後呼切断するまでの通話中の遅延が決まる。つまり、呼接続されて最初にエンコードデータを乗せ換えする時に、乗せ換えする無線スロットに応じた適切なタイミングで乗せ換えすることで、通話時の遅延による利用者の不自然さを解消してスムーズな会話を行うことができる。
【００３９】
次に、図６を参照して、親局無線通信装置１または子局無線通信装置２が行う、入力された音声情報を無線インターフェース１７、２７から送信するための処理（エンコードデータ乗せ換え手段）を説明する。なお、この処理は、親局無線通信装置１および子局無線通信装置２では同様の処理を行う。
【００４０】
まず、無線制御部１１６、２６がエンコードデータを乗せる無線スロットを決定する（Ｓ１）。無線スロットを決定すると、ボコーダ１１、２１によって生成されたエンコードデータを、バッファ１３ａ、２３ａから１つ取得する（Ｓ２）。エンコードデータを取得すると、スロット番号カウンタ１４、２４および設定テーブル１５、２５を参照し、処理Ｓ１において決定された無線スロットへ遅延なく乗せることができるか否かを判断する（Ｓ３）。具体的には、設定テーブル１５、２５に記憶されているエンコードを乗せる条件において、先頭のエンコードデータを１つも破棄しない条件、すなわち開始エンコードデータが「１」である条件が、遅延なく乗せることができる場合であり、先頭のエンコードデータの幾つかを破棄する条件、すなわち開始エンコードデータが「１」以外である条件が、遅延がある場合である。
【００４１】
遅延なく乗せることができる場合は、指定された無線スロットにそのエンコードデータを乗せるために、そのエンコードデータをバッファ１３ｂ、２３ｂに記憶する（Ｓ４）。処理Ｓ３による判断の結果、遅延が生じる場合は、処理３において参照した設定テーブル１５、２５に記憶されている、処理Ｓ１で決定された無線スロットに遅延なくエンコードデータを乗せる条件に基づいて、何個目のエンコードデータから無線スロットに乗せるかを決定し、スロット番号カウンタ１４、２４を参照して、エンコードデータを乗せる無線スロットのタイミングがきたら、その無線スロットへ乗せるために、エンコードデータをバッファ１３ｂ、２３ｂに記憶する（Ｓ５）。処理Ｓ４または処理Ｓ５によって、バッファ１３ｂ、２３ｂにエンコードデータを記憶すると、そのエンコードデータは、無線インターフェース１７、２７から送信されるようになっている。
【００４２】
処理Ｓ４または処理Ｓ５によって、バッファ１３ｂ、２３ｂにエンコードデータを記憶すると、通話が終了か否かを判断する（Ｓ６）。通話が終了であれば、処理を終了し、通話が継続するのであれば、処理Ｓ４へ戻り、通話継続中は、処理Ｓ３による遅延の判断を行わずにエンコードデータをバッファ１３ｂ、２３ｂに記憶し、以降の処理を繰り返す。
【００４３】
このように、ＣＰＵ１０、２０が、無線スロットへエンコードデータを乗せ換える際の遅延を最小にするタイミングを予め記憶してある設定テーブル１５、２５を参照して乗せ換え条件を取得し、その条件で乗せ換えし、その後、通話中にエンコードデータを無線スロットへ乗せ換えする際は、乗せ換え遅延について判断することなくエンコードデータを無線スロットへ乗せ換えするため、通話中の処理を増大させることなく無線スロットへのエンコードデータ乗せ換え時の遅延を最小にすることができる。従って、通話時の遅延による利用者の不自然さを解消してスムーズな会話を行うことができる。
【００４４】
なお、本発明は、以上の構成に限定されるものではなく、種々の変形が可能である。例えば、この実施例では親局無線通信装置１電話交換機３が接続されているが、電話交換機３が接続される代わりに、直接電話装置を接続するようにしてもよい。また、この実施例では全ての子局無線通信装置２に電話装置Ｔが接続されているが、電話装置Ｔが接続されていなくスピーカ２８から報知するだけの子局無線通信装置２が備えられていてもよい。
【００４５】
また、バッファ１３ａに記憶されたエンコードデータをバッファ１３ｂへ記憶すると、バッファ１３ｂから無線インタフェース１７、２７を介してエンコードデータが送信されるようになっているが、バッファ１３ｂから無線インタフェース１７、２７を介してエンコードデータを送信する際にも、設定テーブル１５、２５に記憶されているような、遅延を最小にするためのテーブルを設けて、そのテーブルを参照するようにしてもよい。
【図面の簡単な説明】
【００４６】
【図１】本発明の一実施の形態に係る同報系無線通信システムの構成図。
【図２】本発明の一実施の形態に係る同報系無線通信システムに備えられた親局無線通信装置の構成ブロック図。
【図３】本発明の一実施の形態に係る同報系無線通信システムに備えられた子局無線通信装置の構成ブロック図。
【図４】本発明の一実施の形態に係る親局無線通信装置および子局無線通信装置に備えられた設定テーブルの一例を示した図。
【図５】本発明の一実施の形態に係るエンコードデータ生成と無線フレームの関係を示した図。
【図６】本発明の一実施の形態に係る親局無線通信装置または子局無線通信装置のエンコードデータを無線フレームへ乗せ換える処理を示したシーケンス図。
【図７】従来の同報系無線通信システムのエンコードデータ生成と無線フレームの関係を示した図。
【符号の説明】
【００４７】
１…親局無線通信装置、２、２ａ、２ｂ、２ｃ…子局無線通信装置、３…電話交換装置、Ｔ、Ｔ１、Ｔ２、Ｔ３、Ｔ４、Ｔ５、Ｔ６…電話装置、１０、２０…ＣＰＵ、１１、２１…音声インターフェース、１２、２２…ボコーダ、１３、１３ａ、１３ｂ、１３ｃ、２３、２３ａ、２３ｂ、２３ｃ…バッファ、１４、２４…スロット番号カウンタ、１５、２５…設定テーブル、１６、２６…無線制御部、１７、２７…無線インターフェース
【図１】
2010103678.tif 000003
【図２】
2010103678.tif 000004
【図３】
2010103678.tif 000005
【図４】
2010103678.tif 000006
【図５】
2010103678.tif 000007
【図６】
2010103678.tif 000008
【図７】
2010103678.tif 000009